(57)【要約】  携帯電話機は、中間周波数（ＩＦ）信号を受信する第１の無線送受信機を含む。ＩＦ信号は、遠隔デバイスによりラジオ周波数（ＲＦ）からＩＦにチューニングおよびダウンコンバートされた周波数変調（ＦＭ）信号に基づく。ＦＭ処理モジュールは、ＩＦ信号を受信して、ＩＦ信号をベースバンド信号に変換して、処理済ＦＭ信号を生成する。【選択図】  図２
2009531975.tif 000002
【特許請求の範囲】
【請求項１】
遠隔デバイスによりラジオ周波数（ＲＦ）から中間周波数（ＩＦ）にチューニングおよびダウンコンバートされた周波数変調（ＦＭ）信号に基づくＩＦ信号を受信する第１の無線送受信機と、
前記ＩＦ信号を受信し、前記ＩＦ信号をベースバンド信号に変換し、処理済ＦＭ信号を生成するＦＭ処理モジュールと、を備える、携帯電話機。
【請求項２】
携帯電話機信号処理を行う携帯電話機処理モジュールをさらに含み、
前記第１の無線送受信機および前記ＦＭ処理モジュールのうち少なくともいずれかは、集積回路内に前記携帯電話機処理モジュールとともに集積される、請求項１に記載の携帯電話機。
【請求項３】
前記第１の無線送受信機は、前記処理済ＦＭ信号を前記遠隔デバイスへ送信する、請求項１に記載の携帯電話機。
【請求項４】
ＦＭ放送局選択データを生成するユーザインタフェースをさらに含み、
前記第１の無線送受信機は、前記ＦＭ放送局選択データを前記遠隔デバイスへ送信する、請求項１に記載の携帯電話機。
【請求項５】
請求項１に記載の携帯電話機を備えるシステムであって、前記遠隔デバイスをさらに含み、前記遠隔デバイスは前記処理済ＦＭ信号に基づき音声信号を生成する、システム。
【請求項６】
請求項１に記載の携帯電話機を備えるシステムであって、前記遠隔デバイスをさらに含み、
前記遠隔デバイスは、
アンテナと、
前記アンテナと通信し、ＲＦ周波数をチューニングするチューナと、をさらに含む、システム。
【請求項７】
前記遠隔デバイスは、ＲＦ信号を前記ＲＦ周波数で増幅する増幅器をさらに含む、請求項６に記載のシステム。
【請求項８】
前記遠隔デバイスは、前記ＲＦ信号を混合して前記ＩＦ信号を生成する混合器をさらに含む、請求項７に記載のシステム。
【請求項９】
前記遠隔デバイスは、前記ＩＦ信号を前記携帯電話機に送信する第２の無線送受信機をさらに含む、請求項８に記載のシステム。
【請求項１０】
前記遠隔デバイスは、ＦＭ放送局を選択すべく前記チューナと通信するユーザインタフェースを含む、請求項６に記載のシステム。
【請求項１１】
遠隔デバイスによりチューニングされた周波数変調（ＦＭ）信号を含むラジオ周波数（ＲＦ）信号を受信する第１の無線送受信機と、
前記ＲＦ信号を受信し、前記ＲＦ信号をベースバンド信号に変換し、処理済ＦＭ信号を生成するＦＭ処理モジュールと、を含む、携帯電話機。
【請求項１２】
携帯電話機信号処理を行う携帯電話機処理モジュールをさらに含み、
前記第１の無線送受信機および前記ＦＭ処理モジュールのうち少なくともいずれかは、集積回路内に前記携帯電話機処理モジュールとともに集積される、請求項１１に記載の携帯電話機。
【請求項１３】
前記第１の無線送受信機は、前記処理済信号を前記遠隔デバイスへ送信する、請求項１１に記載の携帯電話機。
【請求項１４】
ＦＭ放送局選択データを生成するユーザインタフェースをさらに含み、
前記第１の無線送受信機は、前記ＦＭ放送局選択データを前記遠隔デバイスへ送信する、請求項１１に記載の携帯電話機。
【請求項１５】
請求項１１に記載の携帯電話機を備えるシステムであって、前記遠隔デバイスをさらに含み、前記遠隔デバイスは前記処理済ＦＭ信号に基づき音声信号を生成する、システム。
【請求項１６】
請求項１１に記載の携帯電話機を備えるシステムであって、前記遠隔デバイスをさらに含み、
前記遠隔デバイスは、
アンテナと、
前記アンテナと通信し、ＲＦ周波数をチューニングするチューナと、をさらに含む、システム。
【請求項１７】
前記遠隔デバイスは、前記チューニングされたＲＦ周波数で信号を増幅する増幅器をさらに含む、請求項１６に記載のシステム。
【請求項１８】
前記遠隔デバイスは、前記ＩＦ信号を前記携帯電話機に送信する第２の無線送受信機をさらに含む、請求項１７に記載のシステム。
【請求項１９】
前記第１の無線送受信機と前記ＦＭ処理モジュールとは、一集積回路として実装される、請求項１１に記載の携帯電話機。
【請求項２０】
前記ＦＭ処理モジュールは、
前記ＲＦ信号をＩＦ信号に変換する中間周波数（ＩＦ）混合器と、
前記ＩＦ信号をＢＢ信号に変換するＢＢ混合器と、を含む、請求項１１に記載の携帯電話機。
【請求項２１】
遠隔デバイスによりラジオ周波数（ＲＦ）からベースバンド（ＢＢ）にチューニングおよびダウンコンバートされた周波数変調（ＦＭ）信号に基づくＢＢ信号を受信する第１の無線送受信機と、
前記ＢＢ信号を受信し、前記ＢＢ信号に基づいて処理済ＦＭ信号を生成するＦＭ処理モジュールと、を備える、携帯電話機。
【請求項２２】
携帯電話機信号処理を行う携帯電話機処理モジュールをさらに含み、
前記第１の無線送受信機および前記ＦＭ処理モジュールのうち少なくともいずれかは、集積回路内に前記携帯電話機処理モジュールとともに集積される、請求項２１に記載の携帯電話機。
【請求項２３】
前記第１の無線送受信機は、前記処理済ＦＭ信号を前記遠隔デバイスへ送信する、請求項２１に記載の携帯電話機。
【請求項２４】
ＦＭ放送局選択データを生成するユーザインタフェースをさらに含み、
前記第１の無線送受信機は、前記ＦＭ放送局選択データを前記遠隔デバイスへ送信する、請求項２１に記載の携帯電話機。
【請求項２５】
請求項２１に記載の携帯電話機を備えるシステムであって、前記遠隔デバイスをさらに含み、前記遠隔デバイスは前記処理済ＦＭ信号に基づき音声信号を生成する、システム。
【請求項２６】
請求項２１に記載の携帯電話機を備えるシステムであって、前記遠隔デバイスをさらに含み、
前記遠隔デバイスは、
アンテナと、
前記アンテナと通信し、ＲＦ周波数をチューニングするチューナと、をさらに備える、システム。
【請求項２７】
前記遠隔デバイスは、前記チューニングされたＲＦ周波数でＲＦ信号を増幅する増幅器をさらに含む、請求項２６に記載のシステム。
【請求項２８】
前記遠隔デバイスは、前記ＲＦ信号をＩＦ信号に混合する中間周波数（ＩＦ）混合器をさらに含む、請求項２７に記載のシステム。
【請求項２９】
前記遠隔デバイスは、前記ＩＦ信号をＢＢ信号に混合するＢＢ混合器をさらに含む、請求項２８に記載のシステム。
【請求項３０】
前記遠隔デバイスは、前記ＢＢ信号を前記携帯電話機に送信する第２の無線送受信機をさらに含む、請求項２９に記載のシステム。
【請求項３１】
前記第１の無線送受信機と前記ＦＭ処理モジュールとは、一集積回路として実装される、請求項２１に記載の携帯電話機。
【請求項３２】
アンテナと通信し、ＦＭ周波数をチューニングする周波数変調（ＦＭ）チューナと、
前記ＦＭ周波数で受信されたＦＭ信号に基づいて、遠隔の携帯電話機に無線信号を送信する無線送受信機と、を備える遠隔デバイス。
【請求項３３】
前記第１の無線送受信機は、前記遠隔の携帯電話機からＦＭチューニングデータを受信し、前記ＦＭチューニングデータに基づいて前記ＦＭチューナを調節する、請求項３２に記載の遠隔デバイス。
【請求項３４】
前記ＦＭチューナと通信し、前記ＲＦ信号を受信する第１のアンテナと、
前記第１の無線送受信機と通信し、前記無線信号を送信する第２のアンテナと、をさらに備える、請求項３２に記載の遠隔デバイス。
【請求項３５】
前記第１の無線送受信機は、ブルートゥースインタフェースを含む、請求項３２に記載の遠隔デバイス。
【請求項３６】
前記遠隔デバイスは、
前記チューニングされたＲＦ周波数で信号を増幅する増幅器と、
前記信号を前記ＩＦ信号に混合する混合器と、をさらに含み、
前記第１の無線送受信機は、前記ＩＦ信号を前記遠隔の携帯電話機に送信し、前記遠隔の携帯電話機から処理済ＦＭ信号を受信し、
前記遠隔デバイスは、
前記処理済ＦＭ信号に基づいて増幅音声信号を生成する増幅器もさらに含む、請求項３２に記載の遠隔デバイス。
【請求項３７】
前記遠隔デバイスは、
前記チューニングされたＲＦ周波数でＲＦ信号を増幅する第１の増幅器と、
前記ＲＦ信号をＩＦ信号に混合する中間周波数（ＩＦ）混合器と、
前記ＩＦ信号をＢＢ信号に混合するＢＢ混合器と、をさらに含み、
前記無線送受信機は、前記ＢＢ信号を前記遠隔の携帯電話機に送信し、前記遠隔の携帯電話機から処理済ＦＭ信号を受信し、
前記遠隔デバイスは、
前記処理済ＦＭ信号に基づいて増幅音声信号を生成する第２の増幅器もさらに含む、請求項３２に記載の遠隔デバイス。
【請求項３８】
前記遠隔デバイスは、
ＲＦ周波数をチューニングするチューナと、
前記チューニングされたＲＦ周波数で信号を増幅する第１の増幅器と、をさらに含み、
前記無線送受信機は、前記ＲＦ信号を前記遠隔の携帯電話機に送信し、前記遠隔の携帯電話機から処理済ＦＭ信号を受信し、
前記遠隔デバイスは、
前記処理済ＦＭ信号に基づいて増幅音声信号を生成する第２の増幅器もさらに備える、請求項３２に記載の遠隔デバイス。
【請求項３９】
請求項３６に記載の遠隔デバイスを備えるヘッドセットであって、前記増幅音声信号を出力する複数のスピーカをさらに備える、ヘッドセット。
【請求項４０】
前記遠隔デバイスを前記複数のスピーカに接続する導体をさらに含み、前記アンテナは前記導体に隣接して延びる、請求項３９に記載のヘッドセット。
【請求項４１】
請求項３７に記載の遠隔デバイスを備えるヘッドセットであって、前記増幅音声信号を出力する複数のスピーカをさらに備える、ヘッドセット。
【請求項４２】
前記遠隔デバイスを前記複数のスピーカに接続する導体をさらに含み、前記アンテナは前記導体に隣接して延びる、請求項４１に記載のヘッドセット。
【請求項４３】
請求項３８に記載の遠隔デバイスを備えるヘッドセットであって、前記増幅音声信号を出力する複数のスピーカをさらに備える、請求項３８に記載のヘッドセット。
【請求項４４】
前記遠隔デバイスを前記複数のスピーカに接続する導体をさらに含み、前記アンテナは前記導体に隣接して延びる、請求項４３に記載のヘッドセット。
【請求項４５】
請求項３６に記載の遠隔デバイスを備える衣料品であって、前記増幅音声信号を出力するスピーカをさらに備える、衣料品。
【請求項４６】
請求項３７に記載の遠隔デバイスを備える衣料品であって、前記増幅音声信号を出力するスピーカをさらに備える、衣料品。
【請求項４７】
請求項３８に記載の遠隔デバイスを備える衣料品であって、前記増幅音声信号を出力するスピーカをさらに備える、衣料品。
【請求項４８】
請求項３６に記載の遠隔デバイスを備えるシステムであって、前記増幅音声信号を出力する複数のスピーカをさらに備える、システム。
【請求項４９】
前記遠隔デバイスを前記複数のスピーカに接続する導体をさらに含み、前記アンテナは前記導体に隣接して延びる、請求項４８に記載のシステム。
【請求項５０】
請求項３７に記載の遠隔デバイスを備えるシステムであって、前記増幅音声信号を出力する複数のイヤホンをさらに備える、システム。
【請求項５１】
前記遠隔デバイスを前記複数のイヤホンに接続する導体をさらに含み、前記アンテナは前記導体に隣接して延びる、請求項５０に記載のシステム。
【請求項５２】
請求項３８に記載の遠隔デバイスを備えるシステムであって、前記増幅音声信号を出力する複数のイヤホンをさらに備える、システム。
【請求項５３】
前記遠隔デバイスを前記複数のイヤホンに接続する導体をさらに含み、前記アンテナは前記導体に隣接して延びる、請求項５２に記載のシステム。
【発明の詳細な説明】
【技術分野】
【０００１】
本発明は携帯電話機に関し、より具体的には集積ＦＭラジオ受信機を有する携帯電話機に関する。
【背景技術】
【０００２】
消費者は、益々小さな携帯電話機を購入するようになってきた。同時に、消費者は携帯電話機に多くの機能を持たせたいとも思うようになっている。これら二つの傾向により、携帯電話機製造業者は、機能を増やすと携帯電話機のサイズを増やす必要があることから問題に直面する場合がある。
【０００３】
携帯電話機はＭＰ３プレーヤ、情報処理端末（ＰＤＡ）、ＷｉＦｉあるいは他のネットワークインタフェース、カメラ、ブルートゥースインタフェースおよび／または他のデバイスを含みうる。新型の携帯電話機のなかには、ＦＭラジオ受信機が含まれてユーザにアナログおよび／またはデジタルＦＭ放送を受信させるものまである。
【０００４】
多機能の携帯電話機は通常、アナログ携帯信号、デジタル携帯信号、ブルートゥース信号、ＷｉＦｉ信号および／または他の種類の無線信号を受信するのに多重アンテナを要する。携帯電話機がＦＭ受信機を含むとなると、ＦＭ信号を受信するのに適切な次元の別のアンテナが必要になる。携帯電話機のコンパクトな大きさを考えると、適切なＦＭアンテナを携帯電話機のフォームファクタに集積するのは現実的ではない。よって、典型的には大きな次元のアンテナを用意して携帯電話機に外付けしている。例えば、ＦＭ受信機をイヤホンに接続するワイヤの隣にアンテナを組み合わせる、および／または走らせるようにしている。
【０００５】
ＦＭ受信機を実装するには多数の方法がある。図示の目的上、スーパヘテロダイン式および直接変換型の送受信機アーキテクチャを簡素化したブロック図について説明するが、他のアーキテクチャを利用することもできる。図１Ａを参照すると、スーパヘテロダイン式の受信機１４−１が図示されている。受信機１４−１は、オプションのＲＦフィルタ２０および低ノイズ増幅器２２に連結されるアンテナ１９を含む。増幅器２２の出力は、混合器２４の第１の入力に連結される。混合器２４の第２の入力は、参照周波数を提供するオシレータ２５に接続される。混合器２４はラジオ周波数（ＲＦ）信号を中間周波数（ＩＦ）信号に変換する。
【０００６】
混合器２４の出力はオプションのＩＦフィルタ２６に接続され、ＩＦフィルタ２６は自動ゲイン制御増幅器（ＡＧＣＡ）３２に連結される出力を有する。ＡＧＣＡ３２の出力は、混合器４０および４１のそれぞれの第１の出力に連結される。混合器４１の第２の入力は、参照周波数を提供するオシレータ４２に連結される。混合器４０の第２の入力は、‐９０度偏移器４３を介してオシレータ４２に接続される。
【０００７】
混合器４０および４１はＩＦ信号をベースバンド（ＢＢ）信号に変換する。混合器４０および４１の出力はＢＢ回路４４‐１および４４‐２に各々連結される。ＢＢ回路４４−１および４４−２は、ローパスフィルタ（ＬＰＦ）４５‐１および４５‐２およびゲインブロック４６‐１および４６‐２を各々含み得るが、他のＢＢ回路を利用することもできる。混合器４０は同相（Ｉ）信号を生成して、ＢＢプロセッサ４７へ出力する。混合器４１は直交位相（Ｑ）信号を生成して、ＢＢプロセッサ４７へ出力する。
【０００８】
図１Ｂを参照すると、例示的な直接変換受信機１４−２が示される。受信機１４−２は、オプションのＲＦフィルタ２０および低ノイズ増幅器２２に連結されるアンテナ１９を含む。低ノイズ増幅器２２の出力は、ＲＦの第１の入力からＢＢ混合器４８および５０へ連結される。混合器５０の第２の入力は、参照周波数を提供するオシレータ５１に連結される。混合器４８の第２の入力は、‐９０度偏移器５２を介してオシレータ５１に接続される。混合器４８はＩ信号をＢＢ回路４４−１に出力するが、ＢＢ回路４４‐１はＬＰＦ４５‐１およびゲインブロック４６‐１を含みうる。ＢＢ回路４４−１の出力はＢＢプロセッサ４７に入力される。同様に、混合器５０はＱ信号をＢＢ回路４４‐２に出力するが、ＢＢ回路４４‐２はＬＰＦ４５‐２およびゲインブロック４６‐２を含みうる。ＢＢ回路４４‐２の出力はＢＢプロセッサ４７に出力される。
【発明の開示】
【０００９】
本開示の一フィーチャとして、遠隔デバイスによりラジオ周波数（ＲＦ）から中間周波数（ＩＦ）にチューニングおよびダウンコンバートされた周波数変調（ＦＭ）信号に基づくＩＦ信号を受信する第１の無線送受信機と、ＩＦ信号を受信し、ＩＦ信号をベースバンド信号に変換し、処理済ＦＭ信号を生成するＦＭ処理モジュールと、を含む、携帯電話機が提供される。
【００１０】
別のフィーチャとして、携帯電話機は、携帯電話機信号処理を行う携帯電話機処理モジュールをさらに含み、第１の無線送受信機およびＦＭ処理モジュールのいずれかは、集積回路内に携帯電話機処理モジュールとともに集積される。
【００１１】
別のフィーチャとして、第１の無線送受信機は、処理済ＦＭ信号を遠隔デバイスへ送信する。
【００１２】
さらに別のフィーチャとして、ＦＭ放送局選択データを生成するユーザインタフェースをさらに含み、第１の無線送受信機は、ＦＭ放送局選択データを遠隔デバイスへ送信する、携帯電話機が提供される。
【００１３】
別のフィーチャとして、携帯電話機を含むシステムであって、遠隔デバイスをさらに含み、遠隔デバイスは処理済ＦＭ信号に基づき音声信号を生成する、システムが提供される。
【００１４】
さらに別のフィーチャとして、携帯電話機を含むシステムであって、遠隔デバイスをさらに含み、遠隔デバイスは、アンテナと、アンテナと通信し、ＲＦ周波数をチューニングするチューナと、をさらに含む、システムが提供される。追加的フィーチャとしては、遠隔デバイスは、ＲＦ信号をＲＦ周波数で増幅する増幅器をさらに含む。さらなるフィーチャとして、遠隔デバイスは、ＲＦ信号を混合してＩＦ信号を生成する混合器をさらに含む。別のフィーチャとして、遠隔デバイスは、ＩＦ信号を携帯電話機に送信する第２の無線送受信機をさらに含む。別のフィーチャとして、遠隔デバイスは、ＦＭ放送局を選択すべくチューナと通信するユーザインタフェースを含む。
【００１５】
別のフィーチャとして、第１の無線送受信機とＦＭ処理モジュールとは、一集積回路として実装される。
【００１６】
さらに別のフィーチャとして、第１の無線送受信機を介して中間周波数（ＩＦ）信号を受信することを含む通信方法が提供される。中間周波数（ＩＦ）信号は、遠隔デバイスによりラジオ周波数（ＲＦ）からＩＦにチューニングおよびダウンコンバートされた周波数変調（ＦＭ）信号に基づく。ＩＦ信号はＦＭ処理モジュールを介して受信される。ＦＭ処理モジュールはＩＦ信号をベースバンド信号に変換し、処理済ＦＭ信号を生成する。
【００１７】
別のフィーチャとして、通信方法は、処理済ＦＭ信号を遠隔デバイスに送信することを含む。
【００１８】
さらに別のフィーチャとして、通信方法は、ＦＭ放送局選択データを生成し、ＦＭ放送局選択データを遠隔デバイスに送信することをさらに含む。
【００１９】
追加的フィーチャとして、通信方法は、処理済ＦＭ信号に基づいて音声信号を生成することをさらに含む。
【００２０】
別のフィーチャとして、通信方法は、チューナを介してアンテナと通信することをさらに含む。ＲＦ周波数はチューニングされる。別のフィーチャとして、通信方法は、ＲＦ信号をＲＦ周波数で増幅することをさらに含む。別のフィーチャとして、通信方法は、ＲＦ信号を混合し、ＩＦ信号を生成することを含む。別のフィーチャとして、通信方法は、ＩＦ信号を携帯電話機に送信することを含む。
【００２１】
別のフィーチャとして、通信方法は、ＦＭ放送局を選択すべくチューナと通信することをさらに含む。
【００２２】
さらに別のフィーチャとして、遠隔デバイスによりラジオ周波数（ＲＦ）から中間周波数（ＩＦ）にチューニングおよびダウンコンバートされた周波数変調（ＦＭ）信号に基づくＩＦ信号を受信する第１の無線送受信機手段と、ＩＦ信号を受信し、ＩＦ信号をベースバンド信号に変換し、処理済ＦＭ信号を生成するＦＭ処理手段と、を含む、携帯電話機が提供される。
【００２３】
別のフィーチャとして、携帯電話機は、携帯電話機信号処理を行う携帯電話機処理手段をさらに含み、第１の無線送受信機手段およびＦＭ処理手段のうち少なくともいずれかは、集積回路内に携帯電話機処理手段とともに集積される。
【００２４】
さらなるフィーチャとして、第１の無線送受信機手段は、処理済ＦＭ信号を遠隔デバイスへ送信する。
【００２５】
さらに別のフィーチャとして、ＦＭ放送局選択データを生成するユーザインタフェース手段をさらに含み、第１の無線送受信機手段は、ＦＭ放送局選択データを遠隔デバイスへ送信する、携帯電話機が提供される。
【００２６】
別のフィーチャとして、携帯電話機を含むシステムであって、遠隔デバイスをさらに含み、遠隔デバイスは処理済ＦＭ信号に基づき音声信号を生成する、システムが提供される。
【００２７】
さらに別のフィーチャとして、携帯電話機を含むシステムであって、遠隔デバイスをさらに含み、遠隔デバイスは、アンテナと、アンテナと通信し、ＲＦ周波数をチューニングするチューナ手段と、をさらに含む、システムが提供される。追加的フィーチャとしては、遠隔デバイスは、ＲＦ信号をＲＦ周波数で増幅する増幅器手段をさらに含む。さらなるフィーチャとして、遠隔デバイスは、ＲＦ信号を混合してＩＦ信号を生成する混合器手段をさらに含む。別のフィーチャとして、遠隔デバイスは、ＩＦ信号を携帯電話機に送信する第２の無線送受信機手段をさらに含む。別のフィーチャとして、遠隔デバイスは、ＦＭ放送局を選択すべくチューナ手段と通信するユーザインタフェース手段を含む。
【００２８】
別のフィーチャとして、第１の無線送受信機手段とＦＭ処理手段とは、一集積回路として実装される。
【００２９】
さらなるフィーチャとして、遠隔デバイスによりチューニングされた周波数変調（ＦＭ）信号を含むラジオ周波数（ＲＦ）信号を受信する第１の無線送受信機と、ＲＦ信号を受信し、ＲＦ信号をベースバンド信号に変換し、処理済ＦＭ信号を生成するＦＭ処理モジュールと、を含む、携帯電話機が提供される。
【００３０】
別のフィーチャとして、携帯電話機は、携帯電話機信号処理を行う携帯電話機処理モジュールをさらに含み、第１の無線送受信機およびＦＭ処理モジュールのうち一以上は、集積回路内に携帯電話機処理モジュールとともに集積される。
【００３１】
さらに別のフィーチャとして、第１の無線送受信機は、処理済信号を遠隔デバイスへ送信する。
【００３２】
別のフィーチャとして、携帯電話機は、ＦＭ放送局選択データを生成するユーザインタフェースをさらに含み、第１の無線送受信機は、ＦＭ放送局選択データを遠隔デバイスへ送信する。
【００３３】
さらに別のフィーチャとして、携帯電話機を含むシステムであって、遠隔デバイスをさらに含み、遠隔デバイスは処理済ＦＭ信号に基づき音声信号を生成する、システムが提供される。
【００３４】
別のフィーチャとして、携帯電話機を含むシステムであって、遠隔デバイスをさらに含み、遠隔デバイスは、アンテナと、アンテナと通信し、ＲＦ周波数をチューニングするチューナと、をさらに含む、システムが提供される。別のフィーチャとして、遠隔デバイスは、チューニングされたＲＦ周波数で信号を増幅する増幅器をさらに含む。別のフィーチャとして、遠隔デバイスは、ＩＦ信号を携帯電話機に送信する第２の無線送受信機をさらに含む。
【００３５】
追加的フィーチャとして、第１の無線送受信機とＦＭ処理モジュールとは、一集積回路として実装される。
【００３６】
別のフィーチャとして、ＦＭ処理モジュールは、ＲＦ信号をＩＦ信号に変換する中間周波数（ＩＦ）混合器と、ＩＦ信号をＢＢ信号に変換するＢＢ混合器と、を含む、携帯電話機が提供される。
【００３７】
さらに別のフィーチャとして、第１の無線送受信機を介して遠隔デバイスによりチューニングされた周波数変調（ＦＭ）信号を含むラジオ周波数（ＲＦ）信号を受信することと、ＲＦ信号を受信し、ＲＦ信号をベースバンド信号に変換し、ＦＭ処理モジュールを介して処理済ＦＭ信号を生成することと、を含む、通信方法が提供される。
【００３８】
さらに別のフィーチャとして、通信方法は、処理済信号を遠隔デバイスに送信することをさらに含む。別のフィーチャとして、通信方法は、ＦＭ放送局選択データを遠隔デバイスに生成および送信することを含む。
【００３９】
別のフィーチャとして、通信方法は、処理済ＦＭ信号に基づいて音声信号を生成することをさらに含む。別のフィーチャとして、通信方法は、アンテナと通信してＲＦ周波数をチューニングすることをさらに含む。さらに別のフィーチャとして、通信方法は、チューニングされたＲＦ周波数で信号を増幅することをさらに含む。別のフィーチャとして、通信方法は、ＩＦ信号を携帯電話機に送信することをさらに含む。
【００４０】
追加的フィーチャとして、通信方法は、ＲＦ信号をＩＦ信号に変換することをさらに含む。ＩＦ信号はＢＢ信号に変換される。
【００４１】
別のフィーチャとして、遠隔デバイスによりチューニングされた周波数変調（ＦＭ）信号を含むラジオ周波数（ＲＦ）信号を受信する第１の無線送受信機手段と、ＲＦ信号を受信し、ＲＦ信号をベースバンド信号に変換し、処理済ＦＭ信号を生成するＦＭ処理手段と、を含む、携帯電話機が提供される。
【００４２】
さらなるフィーチャとして、携帯電話機信号処理を行う携帯電話機処理手段をさらに含み、第１の無線送受信機手段およびＦＭ処理手段のうち一以上は、集積回路内に携帯電話機処理手段とともに集積される、携帯電話機が提供される。
【００４３】
別のフィーチャとして、第１の無線送受信機手段は、処理済信号を遠隔デバイスへ送信する。
【００４４】
さらに別のフィーチャとして、ＦＭ放送局選択データを生成するユーザインタフェース手段をさらに含み、第１の無線送受信機手段は、ＦＭ放送局選択データを遠隔デバイスへ送信する、携帯電話機が提供される。
【００４５】
別のフィーチャとして、携帯電話機を含むシステムであって、遠隔デバイスをさらに含み、遠隔デバイスは処理済ＦＭ信号に基づき音声信号を生成する、システムが提供される。
【００４６】
さらに別のフィーチャとして、携帯電話機を含むシステムであって、遠隔デバイスをさらに含み、遠隔デバイスは、アンテナ手段と、アンテナ手段と通信し、ＲＦ周波数をチューニングするチューナ手段と、をさらに含む、システムが提供される。別のフィーチャとして、遠隔デバイスは、チューニングされたＲＦ周波数で信号を増幅する増幅器手段をさらに含む。別のフィーチャとして、遠隔デバイスは、ＩＦ信号を携帯電話機に送信する第２の無線送受信機手段をさらに含む。
【００４７】
追加的フィーチャとして、第１の無線送受信機手段とＦＭ処理手段とは、一集積回路として実装される。
【００４８】
さらなるフィーチャとして、ＦＭ処理手段は、ＲＦ信号をＩＦ信号に変換する中間周波数（ＩＦ）混合器手段と、ＩＦ信号をＢＢ信号に変換するＢＢ混合器手段と、を含む、携帯電話機が提供される。
【００４９】
別のフィーチャとして、ベースバンド（ＢＢ）信号を受信する第１の無線送受信機を含む携帯電話機が提供される。ＢＢ信号は、遠隔デバイスによりラジオ周波数（ＲＦ）からＢＢにチューニングおよびダウンコンバートされた周波数変調（ＦＭ）信号に基づく。ＦＭ処理モジュールは、ＢＢ信号を受信し、ＢＢ信号に基づいて処理済ＦＭ信号を生成する。
【００５０】
さらに別のフィーチャとして、携帯電話機は、携帯電話機信号処理を行う携帯電話機処理モジュールをさらに含む。第１の無線送受信機およびＦＭ処理モジュールのうち一以上は、集積回路内で携帯電話機処理モジュールと集積される。
【００５１】
別のフィーチャとして、第１の無線送受信機は、処理済ＦＭ信号を遠隔デバイスへ送信する。
【００５２】
さらに別のフィーチャとして、携帯電話機は、ＦＭ放送局選択データを生成するユーザインタフェースをさらに含む。第１の無線送受信機はＦＭ放送局選択データを遠隔デバイスへ送信する。
【００５３】
別のフィーチャとして、システムは携帯電話機を含み、さらに遠隔デバイスを含む。遠隔デバイスはさらに、処理済ＦＭ信号に基づいて音声信号を生成する。
【００５４】
追加的フィーチャとして、システムは携帯電話機を含み、さらに遠隔デバイスを含む。遠隔デバイスは、アンテナと、アンテナと通信してＲＦ周波数をチューニングするチューナとをさらに含む。別のフィーチャにおいて、遠隔デバイスは、チューニングされたＲＦ周波数でＲＦ信号を増幅する増幅器をさらに含む。別のフィーチャとして、遠隔デバイスは、ＲＦ信号をＩＦ信号に混合する中間周波数（ＩＦ）混合器をさらに含む。さらに別のフィーチャとして、遠隔デバイスは、ＩＦ信号をＢＢ信号に混合するＢＢ混合器をさらに含む。別のフィーチャとして、遠隔デバイスは、ＢＢ信号を携帯電話機に送信する第２の送受信機をさらに含む。
【００５５】
別のフィーチャとして、第１の無線送受信機およびＦＭ処理モジュールは一集積回路として実装される。
【００５６】
さらなるフィーチャとして、遠隔デバイスにより第１の無線送受信機を介してラジオ周波数（ＲＦ）からベースバンド（ＢＢ）にチューニングおよびダウンコンバートされた周波数変調（ＦＭ）信号に基づくＢＢ信号を受信することを含む通信方法が提供される。ＢＢ信号はＦＭ処理モジュールにより受信される。ＢＢ信号に基づいて処理済ＦＭ信号が生成される。
【００５７】
別のフィーチャとして、通信方法は、処理済みＦＭ信号を遠隔デバイスに送信することをさらに含む。
【００５８】
さらに別のフィーチャとして、通信方法は、ＦＭ放送局選択データを生成し、ＦＭ放送局選択データを遠隔デバイスに送信することをさらに含む。
【００５９】
追加的フィーチャとして、通信方法は、処理済ＦＭ信号に基づいて音声信号を生成することをさらに含む。
【００６０】
追加的フィーチャとして、通信方法は、チューナを介してアンテナと通信し、ＲＦ周波数をチューニングすることを含む。別のフィーチャとして、通信方法は、チューニングされたＲＦ周波数でＲＦ信号を増幅することをさらに含む。さらに別のフィーチャとして、通信方法は、ＲＦ信号を混合してＩＦ信号を生成することをさらに含む。別のフィーチャとして、通信方法は、ＩＦ信号を混合してＢＢ信号を生成することをさらに含む。別のフィーチャとして、通信方法は、ＢＢ信号を携帯電話機に送信することをさらに含む。
【００６１】
さらに別のフィーチャとして、ベースバンド（ＢＢ）信号を受信する第１の無線送受信機手段を含む携帯電話機が提供される。ＢＢ信号は、遠隔デバイスによりラジオ周波数（ＲＦ）からＢＢにチューニングおよびダウンコンバートされた周波数変調（ＦＭ）信号に基づく。ＢＢ信号を受信するＦＭ処理手段もさらに含まれる。ＦＭ処理手段は、ＢＢ信号に基づいて処理済ＦＭ信号を生成する。
【００６２】
別のフィーチャとして、携帯電話機は、携帯電話機信号処理を行う携帯電話機処理手段をさらに含む。第１の無線送受信機手段およびＦＭ処理手段のうち一以上は、集積回路内で携帯電話機処理手段と集積される。
【００６３】
さらなるフィーチャとして、第１の無線送受信機手段は、処理済ＦＭ信号を遠隔デバイスへ送信する。
【００６４】
別のフィーチャとして、携帯電話機は、ＦＭ放送局選択データを生成するユーザインタフェース手段をさらに含む。第１の無線送受信機手段は、ＦＭ放送局選択データを遠隔デバイスに送信する。
【００６５】
さらに別のフィーチャとして、システムは、携帯電話機を含み、さらに遠隔デバイスを含む。遠隔デバイスは、処理済ＦＭ信号に基づいて音声信号をさらに生成する。
【００６６】
別のフィーチャとして、システムは携帯電話機を含み、さらに遠隔デバイスを含む。遠隔デバイスは、アンテナと、アンテナと通信してＲＦ周波数をチューニングするチューナ手段とをさらに含む。別のフィーチャにおいて、遠隔デバイスは、チューニングされたＲＦ周波数でＲＦ信号を増幅する増幅器手段をさらに含む。さらなるフィーチャとして、遠隔デバイスは、ＲＦ信号を混合してＩＦ信号を生成する中間周波数（ＩＦ）混合器手段をさらに含む。別のフィーチャとして、遠隔デバイスは、ＩＦ信号を混合してＢＢ信号を生成するＢＢ混合器手段をさらに含む。さらに別のフィーチャとして、遠隔デバイスは、ＢＢ信号を携帯電話機に送信する第２の送受信機手段をさらに含む。
【００６７】
別のフィーチャとして、第１の無線送受信機手段およびＦＭ処理手段は一集積回路として実装される。
【００６８】
さらに別のフィーチャとして、アンテナと通信し、ＦＭ周波数をチューニングする周波数変調（ＦＭ）チューナを含む遠隔デバイスが提供される。無線送受信機は、ＦＭ周波数で受信されたＦＭ信号に基づいて無線信号を遠隔の携帯電話機に送信する。
【００６９】
別のフィーチャとして、第１の無線送受信機は、遠隔の携帯電話機からＦＭチューニングデータを受信し、ＦＭチューニングデータに基づいてＦＭチューナを調節する。
【００７０】
別のフィーチャとして、遠隔デバイスは、ＦＭチューナと通信し、ＲＦ信号を受信する第１のアンテナをさらに含む。第２のアンテナは、第１の無線送受信機と通信し、無線信号を送信する。
【００７１】
追加的フィーチャとして、第１の無線送受信機は、ブルートゥースインタフェースを含む。
【００７２】
遠隔デバイスは、チューニングされたＲＦ周波数で信号を増幅する増幅器と、信号をＩＦ信号に混合する混合器と、をさらに含み、第１の無線送受信機は、ＩＦ信号を遠隔の携帯電話機に送信し、遠隔の携帯電話機から処理済ＦＭ信号を受信し、遠隔デバイスは、処理済ＦＭ信号に基づいて増幅音声信号を生成する増幅器もさらに含む。
【００７３】
さらなるフィーチャとして、遠隔デバイスを含むヘッドセットであって、増幅音声信号を出力する複数のスピーカをさらに含む、ヘッドセットが提供される。別のフィーチャとして、遠隔デバイスを複数のスピーカに接続する導体をさらに含み、アンテナは導体に隣接して延びる、ヘッドセットが提供される。
【００７４】
別のフィーチャとして、遠隔デバイスを含む衣料品であって、増幅音声信号を出力するスピーカをさらに含む、衣料品が提供される。別のフィーチャとして、遠隔デバイスを含むシステムであって、増幅音声信号を出力する複数のスピーカをさらに含む、システムが提供される。別のフィーチャとして、システムは、遠隔デバイスを複数のスピーカに接続する導体をさらに含む。アンテナは導体に隣接して延びる。
【００７５】
さらに別のフィーチャとして、遠隔デバイスは、チューニングされたＲＦ周波数でＲＦ信号を増幅する第１の増幅器をさらに含む。中間周波数（ＩＦ）混合器はＲＦ信号をＩＦ周波数で増幅する。ＢＢ混合器はＩＦ信号をＢＢ信号に混合する。無線送受信機はＢＢ信号を遠隔の携帯電話機に送信し、遠隔の携帯電話機から処理済ＦＭ信号を受信する。第２の増幅器は処理済ＦＭ信号に基づいて、増幅音声信号を生成する。
【００７６】
別のフィーチャとして、ヘッドセットは遠隔デバイスを含み、増幅音声信号を出力する複数のスピーカをさらに含む。別のフィーチャとして、ヘッドセットは、遠隔デバイスを複数のスピーカに接続する導体をさらに含み、アンテナは導体に隣接して延びる。
【００７７】
さらに別のフィーチャとして、衣料品は遠隔デバイスを含み、増幅音声信号を出力するスピーカをさらに含む。
【００７８】
別のフィーチャとして、システムは請求項６に記載の遠隔デバイスを含み、増幅音声信号を出力する複数のイヤホンをさらに含む。別のフィーチャとして、システムは、遠隔デバイスを複数のイヤホンに接続する導体をさらに含む。アンテナは導体に隣接して延びる。
【００７９】
別のフィーチャとして、遠隔デバイスは、ＲＦ周波数をチューニングするチューナをさらに含む。第１の増幅器はチューニングされたＲＦ周波数で信号を増幅する。無線送受信機はＲＦ信号を遠隔の携帯電話機に送信し、遠隔の携帯電話機から処理済ＦＭ信号を受信する。第２の増幅器は、処理済ＦＭ信号に基づいて増幅音声信号を生成する。
【００８０】
さらに別のフィーチャとして、ヘッドセットは遠隔デバイスを含み、増幅音声信号を出力する複数のスピーカをさらに含む。別のフィーチャとして、ヘッドセットは、遠隔デバイスを複数のスピーカに接続する導体をさらに含む。アンテナは導体に隣接して延びる。
【００８１】
別のフィーチャとして、衣料品は遠隔デバイスを含み、増幅音声信号を出力するスピーカをさらに含む。別のフィーチャとして、システムは遠隔デバイスを含み、増幅音声信号を出力する複数のイヤホンをさらに含む。別のフィーチャとして、システムは、遠隔デバイスを複数のイヤホンに接続する導体をさらに含む。アンテナは導体に隣接して延びる。
【００８２】
別のフィーチャとして、アンテナと通信し、周波数変調（ＦＭ）チューナを介してＦＭ周波数をチューニングすることを含む通信方法が提供される。無線信号は、無線送受信機を介してＦＭ周波数で受信されたＦＭ信号に基づいて遠隔の携帯電話機に送信される。
【００８３】
別のフィーチャとして、通信方法は、遠隔の携帯電話機からＦＭチューニングデータを受信し、ＦＭチューニングデータに基づいてＦＭチューナを調節することを含む。
【００８４】
さらに別のフィーチャとして、通信方法は、ＦＭチューナと通信し、第１のアンテナを介してＲＦ信号を受信することをさらに含む。第１の無線送受信機と通信され、無線信号は第２のアンテナを介して送信される。
【００８５】
別のフィーチャとして、通信方法は、チューニングされたＲＦ周波数で信号を増幅することをさらに含む。増幅信号は混合されてＩＦ信号を生成する。ＩＦ信号は遠隔の携帯電話機に送信される。処理済ＦＭ信号が、遠隔の携帯電話機から受信される。増幅音声信号が処理済ＦＭ信号に基づいて生成される。
【００８６】
さらなるフィーチャとして、通信方法は、チューニングされたＲＦ周波数でＲＦ信号を増幅することをさらに含む。ＲＦ信号が混合されてＩＦ信号を生成する。ＩＦ信号が混合されてＢＢ信号が生成される。ＢＢ信号は遠隔の携帯電話機に送信される。処理済ＦＭ信号が、遠隔の携帯電話機から受信される。増幅音声信号が処理済ＦＭ信号に基づいて生成される。
【００８７】
別のフィーチャとして、通信方法は、ＲＦ周波数をチューニングすることをさらに含む。増幅信号がＲＦ周波数でチューニングされる。ＲＦ信号が遠隔の携帯電話機に送信される。処理済ＦＭ信号が遠隔の携帯電話機から受信される。増幅音声信号が処理済ＦＭ信号に基づいて生成される。
【００８８】
別のフィーチャとして、通信方法は、増幅音声信号を出力することをさらに含む。別のフィーチャとして、通信方法は、増幅音声信号を出力することをさらに含む。別のフィーチャとして、通信方法は、増幅音声信号を出力することをさらに含む。
【００８９】
追加的フィーチャとして、アンテナと通信し、ＦＭ周波数をチューニングする周波数変調（ＦＭ）チューナ手段を含む遠隔デバイスが提供される。ＦＭ周波数で受信されたＦＭ信号に基づいて遠隔の携帯電話機に無線信号を送信する無線送受信機手段もさらに含まれる。
【００９０】
別のフィーチャとして、第１の無線送受信機手段は、遠隔の携帯電話機からＦＭチューニングデータを受信し、ＦＭチューニングデータに基づいてＦＭチューナを調節する。
【００９１】
別のフィーチャとして、遠隔デバイスは、ＦＭチューナと通信し、ＲＦ信号を受信する第１のアンテナ手段をさらに含む。第１の無線送受信機手段と通信し、無線信号を送信する第２のアンテナ手段もさらに含まれる。
【００９２】
別のフィーチャとして、第１の無線送受信機手段は、ブルートゥースインタフェース手段を含む。
【００９３】
さらに別のフィーチャとして、遠隔デバイスは、チューニングされたＲＦ周波数で信号を増幅する増幅器手段と、信号を混合してＩＦ信号を生成する混合器手段と、をさらに含み、第１の無線送受信機手段は、ＩＦ信号を遠隔の携帯電話機に送信し、遠隔の携帯電話機から処理済ＦＭ信号を受信し、遠隔デバイスは、処理済ＦＭ信号に基づいて増幅音声信号を生成する増幅器手段もさらに含む。
【００９４】
別のフィーチャとして、ヘッドセットは遠隔デバイスを含み、増幅音声信号を出力する音声手段をさらに含む。別のフィーチャとして、ヘッドセットは、遠隔手段を音声手段に接続する導体手段をさらに含む。アンテナは導体手段に隣接して延びる。
【００９５】
さらに別のフィーチャとして、衣料品は遠隔デバイスを含み、増幅音声信号を出力する音声手段をさらに含む。別のフィーチャとして、システムは遠隔デバイスを含み、増幅音声信号を出力する音声手段をさらに含む。別のフィーチャとして、システムは、音声手段に遠隔手段を接続する導体手段をさらに含む。アンテナは導体手段に隣接して延びる。
【００９６】
別のフィーチャとして、遠隔デバイスは、チューニングされたＲＦ周波数でＲＦ信号を増幅する第１の増幅器手段をさらに含む。ＲＦ信号を混合してＩＦ信号を生成する中間周波数（ＩＦ）混合器手段も含まれる。ＩＦ信号を混合してＢＢ信号を生成するＢＢ混合器手段もさらに含まれる。無線送受信機手段はＢＢ信号を遠隔の携帯電話機に送信し、処理済ＦＭ信号を遠隔の携帯電話機から受信する。処理済ＦＭ信号に基づいて増幅音声信号を生成する第２の増幅器手段もさらに含まれる。
【００９７】
別のフィーチャとして、ヘッドセットは遠隔デバイスを含み、増幅音声信号を出力する音声手段をさらに含む。別のフィーチャとして、ヘッドセットは、遠隔手段を音声手段に接続する導体手段をさらに含む。アンテナは導体手段に隣接して延びる。
【００９８】
さらなるフィーチャとして、衣料品は遠隔手段を含み、増幅音声信号を出力する音声手段をさらに含む。別のフィーチャとして、システムは遠隔手段を含み、増幅音声信号を出力する音声手段をさらに含む。別のフィーチャとして、システムは、遠隔手段を音声手段に接続する導体手段をさらに含む。アンテナは導体手段に隣接して延びる。
【００９９】
別のフィーチャとして、遠隔デバイスは、ＲＦ周波数をチューニングするチューナ手段をさらに含む。チューニングされたＲＦ周波数で信号を増幅する第１の増幅器手段も含まれる。無線送受信機手段はＲＦ信号を遠隔の携帯電話機に送信し、処理済ＦＭ信号を遠隔の携帯電話機から受信する。処理済ＦＭ信号に基づいて増幅音声信号を生成する第２の増幅器手段もまた含まれる。
【０１００】
別のフィーチャとして、ヘッドセットは遠隔デバイスを含み、増幅音声信号を出力する音声手段をさらに含む。別のフィーチャとして、ヘッドセットは、遠隔デバイスを音声手段に接続する導体手段をさらに含む。アンテナは導体手段に隣接して延びる。
【０１０１】
追加的フィーチャとして、衣料品は遠隔デバイスを含み、増幅音声信号を出力する音声手段をさらに含む。別のフィーチャとして、システムは遠隔デバイスを含み、増幅音声信号を出力する音声手段をさらに含む。別のフィーチャとして、システムは、遠隔デバイスを音声手段に接続する導体手段をさらに含む。アンテナは導体手段に隣接して延びる。
【０１０２】
また他のフィーチャとして、上述のシステムおよび方法は、一以上のプロセッサが実行するコンピュータプログラムにより実装される。コンピュータプログラムは、メモリ、不揮発性データ記憶装置および／または他の適切な有形の記憶媒体を含むがそれらに限られないコンピュータ読み取り可能な媒体に駐在できる。
【０１０３】
本発明のさらなる適用範囲は、以降に記載される詳細な記載から明らかになろう。詳細な記載および特定の例示は、本発明の好適な実施形態を示してはいるが、例示目的のみを意図しており、本発明の範囲の限定を意図してはいない。
【図面の簡単な説明】
【０１０４】
本開示は、詳細な説明および添付図面を参照することでより完全に理解されよう。
【０１０５】
【図１Ａ】先行技術による例示的ＦＭ受信機の機能ブロック図である。
【０１０６】
【図１Ｂ】先行技術による第２の例示的ＦＭ受信機の機能ブロック図である。
【０１０７】
【図２】本開示による例示的遠隔デバイスと例示的携帯電話機とを含む携帯電話機システムの機能ブロック図である。
【０１０８】
【図３Ａ】本開示によるヘッドセットの機能ブロック図である。
【０１０９】
【図３Ｂ】本開示によるイヤホンの機能ブロック図である。
【０１１０】
【図４Ａ】本開示による遠隔デバイスを含む衣料品を図示する。
【図４Ｂ】本開示による遠隔デバイスを含む衣料品を図示する。
【０１１１】
【図５】図２の携帯電話機システムのより詳細な機能ブロック図である。
【０１１２】
【図６】代替例である携帯電話機システムの機能ブロック図である。
【０１１３】
【図７】別の代替例である携帯電話機システムの機能ブロック図である。
【０１１４】
【図８】携帯電話機システムの操作方法を示す論理フロー図である。
【発明を実施するための最良の形態】
【０１１５】
以下の記載は、単に例示目的であり、開示、適用、あるいは利用法を限定することは全く意図していない。明瞭化目的から、図面を通じて同じ参照番号は類似した部材を表す。ここで利用されるモジュール、回路、および／またはデバイスといった用語は、一以上のソフトウェアあるいはファームウェアプログラムを実行する、特定用途向け集積回路（ＡＳＩＣ）、電子回路、プロセッサ（共有、専用あるいはグループ）、およびメモリ、組み合わせられた論理回路、および／または、記載した機能を発揮するその他の適切な部材のことである。ここで利用される、Ａ、Ｂ、およびＣのうちの少なくとも一つ、といったフレーズは、非排他的論理ＯＲを利用する、論理（ＡあるいはＢあるいはＣ）として理解されるべきである。方法内の工程（ステップ）は、順序を替えて実行しても本発明の原理が変わらない場合があることを理解されたい。
【０１１６】
携帯電話機ＦＭ受信機は典型的に、チューナ、低ノイズ増幅器（ＬＮＡ）、オシレータ、増幅器、フィルタ、変換器など、多数の関連部材を有する。本発明において携帯電話機システムは、携帯電話機から一以上のこのような部材を分離する。その結果、ＦＭ信号処理の一部が携帯電話機から遠隔的に実行される。携帯電話機は、以下に詳述するようにＦＭ信号処理を継続、完了させる。
【０１１７】
図２を参照すると、携帯電話機システム１００は、遠隔デバイス１１０および携帯電話機１２０を含むと示されている。携帯電話機システム１００、遠隔デバイス１１０、および携帯電話機１２０は、各々が携帯電話機回路として示されている。遠隔デバイス１１０は、一以上のＦＭラジオ放送局などの一以上の選択された周波数にチューニングするチューニングモジュール１２４を含む。チューニングモジュール１２４は入力信号としてＦＭ信号を受信する一以上のＦＭアンテナ１２６と通信する。低ノイズ増幅器（ＬＮＡ）１２８は、選択されたＦＭ信号を増幅し、増幅信号をアナログ／デジタル（Ａ／Ｄ）変換器モジュール１３０に出力する。Ａ／Ｄ変換器１３０は、遠隔デバイス１１０の無線インタフェースモジュール１３２へデジタル信号を出力する。無線インタフェースモジュール１３２は、無線信号を、アンテナ１３３を介して携帯電話機１２０へ送信する。遠隔デバイス１１０の一以上の部材をシステムオンチップ（ＳＯＣ）に集積できる。
【０１１８】
ユーザは、携帯電話機１２０および／または遠隔デバイス１１０への入力を利用して、特定のＦＭ放送局を選択しうる。ユーザが携帯電話機１２０の入力を使ってＦＭ放送局を選択する場合、無線インタフェース１３２はさらに、携帯電話機１２０からの周波数データなどのチューニングデータを受信し得、これはチューナ１２４へ出力される。また、遠隔デバイス１１０は、ユーザ入力１３６を含み得、ユーザ入力１３６によりユーザは放送局選択、音量調節、および／または初期設定放送局の選択、初期設定放送局の設定、走査などの他のラジオに基づく機能を行うことができる。携帯電話機１２０のユーザ入力により、さらに、ユーザは音量調節、および／または、初期設定放送局の選択、初期設定放送局の設定、走査などの他のラジオに基づく機能を行うことができる。
【０１１９】
無線インタフェース１３２はさらに、処理済ＦＭラジオ信号を携帯電話機１２０から受信する。受信信号は、アナログ音声信号を出力するデジタル／アナログ（Ｄ／Ａ）変換器１４２に出力される。Ｄ／Ａ変換器１４２は音声信号を増幅器１４４へ出力し、増幅器１４４は音声信号を増幅して、該信号を出力ジャック、スピーカなどの出力１４６へ出力する。
【０１２０】
携帯電話機１２０の例示的実施形態を図２に示す。さらに別の種類の携帯電話機を利用することもできる。携帯電話機１２０は、変調されたＦＭ受信機あるいはＦＭ処理モジュール２００を含み得、これは携帯電話機１２０の無線インタフェースモジュール１６８と通信しうる。ＦＭモジュール２００は、さらに以下で詳述するがＦＭ信号処理を継続する。処理が完了すると、ＦＭモジュール２００は処理済みのＦＭ信号を信号処理および／または制御モジュール１５２へ、および／または無線インタフェースモジュール１６８へ出力する。制御モジュール１５２から、処理済ＦＭ信号は無線インタフェース１６８へ送られうる、および／または音声出力１５８へ送られうる。無線インタフェースモジュール１６８は、今度は、無線信号を、アンテナ１６７を介して無線インタフェースモジュール１３２へ送信する。遠隔デバイス１１０は無線信号を受信して該信号を上述のように出力する。
【０１２１】
スピーカおよび／または出力ジャックでありうる音声出力１５８に加えて、携帯電話機１２０は、マイクロホン１５６、ディスプレイ１６０および／またはキーパッド、ポインティングデバイス、ボイス駆動、および／または他の入力デバイスなどの入力デバイス１６２を含みうる。制御モジュール１５２および／または携帯電話機１２０の他の回路（不図示）は、データ処理、符号化および／または暗号化、計算、データフォーマッティングおよび／またはその他の携帯電話機能を行いうる。アンテナ１６７に加えて携帯電話機は、携帯指定アンテナ１７０を有しうる。
【０１２２】
携帯電話機１２０は、ハードディスクドライブＨＤＤなどの光学記憶デバイスおよび／または磁気記憶デバイスにデータを不揮発な形で記憶する大容量データ記憶装置１６４と通信し得る。ＨＤＤは、直径が約１．８"より小さい一以上のプラッタを含むミニＨＤＤであってもよい。
【０１２３】
携帯電話機１２０は、ＲＡＭ、ＲＯＭ、フラッシュメモリなどの低レイテンシー不揮発性メモリ、および／または他の適切な電子データ記憶装置などのメモリ１６６に接続されうる。携帯電話機１２０はさらに、無線インタフェース１６８を介して、および／または追加的な無線インタフェース(不図示)を介してＷＬＡＮへの接続を支援しうる。無線インタフェースは、電気電子学会（ＩＥＥＥ）規格８０２．１１、８０２．１１ａ、８０２．１１ｂ、８０２．１１ｇ、８０２．１１ｈ、８０２．１１ｎ、８０２．１６、８０２．２０、および／またはブルートゥースのうち少なくともいずれかに準拠しうる。制御モジュール１５２は、ＦＭモジュール２００およびメモリ１６６とともにシステムオンチップ（ＳＯＣ）に集積されうる。
【０１２４】
図３Ａを参照すると、遠隔デバイス１１０は、第１の筐体２２４および第２の筐体２２６を含むヘッドセット２２０とパッケージ化されうる。第１の筐体２２４および第２の筐体２２６は、スピーカ２３０および２３２を各々収容しうる。遠隔デバイス１１０は第１の筐体２２４および／または第２の筐体２２６とともにパッケージ化されうる。筐体２２４および２２６は、ユーザのヘッド上のヘッドセット２２０を支持しうるＣ型部２３０により接続されうる。アンテナ１２６はＣ型部２３０を介してルートされうる。筐体２２４および／または筐体２２６はさらに遠隔デバイス１１０に給電するバッテリ２４０を収容しうる。
【０１２５】
図３Ｂを参照すると、遠隔デバイス１１０はヘッドセット２５０とともに集積され得、これらは各々第１のイヤホン２４４および第２のイヤホン２４６を含むとして図示されている。第１のおよび第２のイヤホン２４４および２４６は、スピーカ２３０および２３２を各々含む。イヤホン２４４および２４６は、イヤホン２４４および２４６をユーザの耳に物理的に装着するデバイス（不図示）を含みうる。遠隔デバイス１１０は、イヤホン２４４および／またはイヤホン２４６のいずれか、あるいは両方とともに集積されうる。イヤホン２４４および２４６はワイヤ２６０により接続されうる。アンテナ１２６は、ワイヤ２６０とともに集積されてもよく、および／またはワイヤ２６０に隣接されてルートされてよい。イヤホン２４４および／またはイヤホン２４６はさらに、遠隔デバイス１１０に給電するバッテリ２４０を収容してよい。
【０１２６】
図４Ａおよび４Ｂを参照すると、遠隔デバイス１１０は、衣料品２６０に装着、および／または挿入されうる。図４Ａにおいては、衣料品２６０はさらに、スピーカ２７０およびバッテリ２７２を含む。図４Ｂにおいては、イヤホン２４４および２４６は、ワイヤ２６０により遠隔デバイス１１０へ、その出力ジャックを介して接続されうる。アンテナ１２６は、ワイヤ２６０に隣接して配置される。また他の変形例を考えられる。
【０１２７】
図５‐７を参照すると、遠隔デバイス１１０および／または携帯電話機１２０に関するＦＭ受信機部材の相対配置および位置に関する幾かの変形例が示されている。図５においては、図２の遠隔デバイス１１０のより詳細な図が示されている。ＬＮＡは遠隔デバイス１１０に配置される。図６においては、ＬＮＡに加えて中間周波数（ＩＦ）混合器が遠隔デバイス１１０にさらに配置される。図７においては遠隔デバイス１１０に、ＬＮＡに加えてＩＦ混合器およびベースバンド（ＢＢ）混合器が配置されている。
【０１２８】
図５において、アンテナ１２６はＦＭ信号を含むＲＦ信号を受信する。ＬＮＡ１２８は信号を増幅して、Ａ／Ｄ変換器１３０へ該信号を出力する。オプションのフィルタ３００をＬＮＡ１２８の入力および／または出力で利用することもできる。Ａ／Ｄ変換器１３０が出力するデジタル信号は、無線ネットワークインタフェース１３２に出力され、無線ネットワークインタフェース１３２は、デジタル信号を無線ネットワーククインタフェース１６８へ送信する。無線ネットワーククインタフェース１６８は、信号を中間周波数（ＩＦ）混合器３０４‐１および３０４‐２へ出力して、ＩＦ混合器３０４‐１および３０４‐２はさらにオシレータ３０８が出力する参照信号を受信する。ＩＦ混合器３０４‐１および３０４‐２の中間信号出力はオプションとして各々フィルタ３１０および３１２でフィルタにかけられてＢＢ混合器３１２‐１および３１２‐２に入力される。ＢＢ混合器３１２‐１および３１２‐２はさらに、オシレータ３１６からの参照信号出力を受信する。ＢＢ混合器３１２‐１および３１２‐２のベースバンド信号出力はオプションとして、フィルタ３２０および３２２によりフィルタにかけられて信号プロセッサ３３０に入力され、信号プロセッサ３３０はベースバンドＦＭ信号を処理する。
【０１２９】
処理済ＦＭ信号は信号プロセッサ３３０から無線ネットワークインタフェース１６８へ出力される。無線ネットワークインタフェース１６８は処理済信号を無線ネットワークインタフェース１３２へ送信する。無線ネットワークインタフェース１３２は、受信した処理済信号をデジタル／アナログ（Ｄ／Ａ）変換器１４２へ出力する。Ｄ／Ａ変換器１４２は上述のようにアナログ信号を増幅器１４４へ出力する。
【０１３０】
図６において、アナログＩＦ混合器４００が遠隔デバイス１１０と集積される。混合器４００は第１の混合器４１０‐１および第２の混合器４１０‐２を含む。アナログオシレータ４１４はオシレータ信号を混合器４１０‐１および４１０‐２へ出力する。混合器４１０‐１および４１０‐２の出力は、オプションとしてフィルタ４１４および４１６で各々フィルタにかけられ、Ａ／Ｄ変換器１３０へ出力される。
【０１３１】
図７において、アナログＩＦ混合器４００は遠隔デバイス１１０と集積される。さらに、アナログＢＢ混合器４３０は遠隔デバイス１１０と集積される。混合器４３０は第１の混合器４３２‐１および第２の混合器４３２‐２を含む。アナログオシレータ４３４はオシレータ信号を混合器４３２‐１および４３２‐２に出力する。混合器４３２‐１および４３２‐２の出力はオプションとしてフィルタにかけられ（不図示）、Ａ／Ｄ変換器１３０へ出力される。理解されうるように、遠隔デバイス１１０内のＡ／Ｄ変換器１３０の位置を調節することで、混合器４００、４３０のいずれか、あるいは両方がデジタルドメインに実装されうる。
【０１３２】
図８を参照すると、携帯電話機システムの操作方法を示す論理フロー図が示されている。以下の工程は主として図２の実施形態に関して記載されるが、これら工程は、それらの幾らかを上述した本発明の他の実施形態を包括するよう修正することができる。
【０１３３】
工程５００において、遠隔デバイスはＦＭ放送局データを受信する。ＦＭ放送局データは遠隔デバイスのユーザ入力から受信されうる、または、インタフェース１３２および１６８のような無線インタフェースを利用して携帯電話機から無線受信されうる。工程５０２において、遠隔デバイスのチューナは、ＦＭ放送局データに基づいてＦＭ放送局にチューニングされる。工程５０４において、ＦＭラジオ信号が、アンテナ１２６などの第１のアンテナを介して受信される。工程５０６において、ＦＭ信号が増幅されて、増幅信号が生成される。ＦＭ信号はＬＮＡ１２８などのＬＮＡにより増幅されうる。
【０１３４】
工程５０８において、増幅信号はデジタル信号、あるいは前処理済ＦＭ信号に変換される。増幅信号はＡ／Ｄ変換器１３０などのＡ／Ｄ変換器を利用する変換器でありうる。工程５１０において、前処理済ＦＭ信号は、アンテナ１３３などの第２のアンテナを介して、携帯電話機に無線信号として無線送信される。
【０１３５】
追加的な工程を工程５０４‐５１０に組み込んで、上述あるいは以下に示す更なるＦＭ信号処理を行ってもよい。例えば、中間周波数信号およびベースバンド信号の生成、およびこのような信号のフィルタリングを含む工程を追加的に組み込んでもよい。
【０１３６】
工程５１２において、前処理済ＦＭ信号は、アンテナ１６７などのアンテナを介して携帯電話機により入力信号として受信される。工程５１４において、前処理済ＦＭ信号は無線インタフェースを介して、ＦＭ処理モジュール２００などのＦＭ処理モジュールへ渡される。工程５１６において、ＦＭ処理モジュールあるいは幾らかの他の携帯電話機プロセッサあるいは制御モジュールは元の受信ＦＭ信号の処理を完了する。前処理済ＦＭ信号は処理済ＦＭ信号へ変換される。
【０１３７】
工程５１８において、工程１１６からの処理済ＦＭ信号は、遠隔デバイスへ、それ自身の音声出力用に、あるいは携帯電話機の音声出力用に、送信される。もちろん、処理済ＦＭ信号あるいはそれに関するデータは、携帯電話機のメモリあるいは遠隔デバイスのメモリに記憶されうる。
【０１３８】
上述の方法は、長いＦＭアンテナを直接携帯電話機につなぐという必要性に関する幾らかの不利な点を軽減する。
【０１３９】
当業者であれば、上述の記載から幅広い発明の教示が様々な形態で実施可能であることを理解しよう。したがって、本発明は特定の例示により記載されたが、当業者が図面、明細書、および添付請求項を見ることで他の変形例も明らかであるので、本発明の真の範囲はそのように限定されるものではない。
【図１Ａ】
2009531975.tif 000003
【図１Ｂ】
2009531975.tif 000004
【図２】
2009531975.tif 000005
【図３Ａ】
2009531975.tif 000006
【図３Ｂ】
2009531975.tif 000007
【図４Ａ】
2009531975.tif 000008
【図４Ｂ】
2009531975.tif 000009
【図５】
2009531975.tif 000010
【図６】
2009531975.tif 000011
【図７】
2009531975.tif 000012
【図８】
2009531975.tif 000013
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
遠隔デバイスによりラジオ周波数（ＲＦ）から中間周波数（ＩＦ）にチューニングおよびダウンコンバートされた、携帯電話機に送信される周波数変調（ＦＭ）信号に基づくＩＦ信号を受信する第１の無線送受信機と、
前記ＩＦ信号を受信し、前記ＩＦ信号をベースバンド信号に変換し、処理済ＦＭ信号を生成するＦＭ処理モジュールと、を備える、携帯電話機。
【請求項２】
携帯電話機信号処理をする携帯電話機処理モジュールをさらに含み、
前記第１の無線送受信機および前記ＦＭ処理モジュールのうち少なくともいずれかは、集積回路内に前記携帯電話機処理モジュールとともに集積される、請求項１に記載の携帯電話機。
【請求項３】
前記第１の無線送受信機は、前記処理済ＦＭ信号を前記遠隔デバイスへ送信する、請求項１に記載の携帯電話機。
【請求項４】
ＦＭ放送局選択データを生成するユーザインタフェースをさらに含み、
前記第１の無線送受信機は、前記ＦＭ放送局選択データを前記遠隔デバイスへ送信する、請求項１に記載の携帯電話機。
【請求項５】
請求項１に記載の携帯電話機を備えるシステムであって、前記遠隔デバイスをさらに含み、前記遠隔デバイスは前記処理済ＦＭ信号に基づき音声信号を生成する、システム。
【請求項６】
請求項１に記載の携帯電話機を備えるシステムであって、前記遠隔デバイスをさらに含み、
前記遠隔デバイスは、
アンテナと、
前記アンテナと通信し、ＲＦ周波数をチューニングするチューナと、をさらに含む、システム。
【請求項７】
前記遠隔デバイスは、ＲＦ信号を前記ＲＦ周波数で増幅する増幅器をさらに含む、請求項６に記載のシステム。
【請求項８】
前記遠隔デバイスは、前記ＲＦ信号を混合して前記ＩＦ信号を生成する混合器をさらに含む、請求項７に記載のシステム。
【請求項９】
前記遠隔デバイスは、前記ＩＦ信号を前記携帯電話機に送信する第２の無線送受信機をさらに含む、請求項８に記載のシステム。
【請求項１０】
前記遠隔デバイスは、ＦＭ放送局を選択すべく前記チューナと通信するユーザインタフェースを含む、請求項６に記載のシステム。
【請求項１１】
ユーザの入力を介して、遠隔デバイスにより、周波数変調（ＦＭ）信号に関連して選択された周波数にチューニングされた前記ＦＭ信号を含むラジオ周波数（ＲＦ）信号を受信する第１の無線送受信機と、
前記選択された周波数で前記ＲＦ信号を受信し、前記ＲＦ信号をベースバンド信号に変換し、処理済ＦＭ信号を生成するＦＭ処理モジュールと、を含む、携帯電話機。
【請求項１２】
携帯電話機信号処理をする携帯電話機処理モジュールをさらに含み、
前記第１の無線送受信機および前記ＦＭ処理モジュールのうち少なくともいずれかは、集積回路内に前記携帯電話機処理モジュールとともに集積される、請求項１１に記載の携帯電話機。
【請求項１３】
前記第１の無線送受信機は、前記処理済ＦＭ信号を前記遠隔デバイスへ送信する、請求項１１に記載の携帯電話機。
【請求項１４】
ＦＭ放送局選択データを生成するユーザインタフェースをさらに含み、
前記第１の無線送受信機は、前記ＦＭ放送局選択データを前記遠隔デバイスへ送信する、請求項１１に記載の携帯電話機。
【請求項１５】
請求項１１に記載の携帯電話機を備えるシステムであって、前記遠隔デバイスをさらに含み、前記遠隔デバイスは前記処理済ＦＭ信号に基づき音声信号を生成する、システム。
【請求項１６】
請求項１１に記載の携帯電話機を備えるシステムであって、前記遠隔デバイスをさらに含み、
前記遠隔デバイスは、
アンテナと、
前記アンテナと通信し、ＲＦ周波数をチューニングするチューナと、をさらに含む、システム。
【請求項１７】
前記遠隔デバイスは、前記チューニングされたＲＦ周波数で信号を増幅する増幅器をさらに含む、請求項１６に記載のシステム。
【請求項１８】
前記遠隔デバイスは、前記ＩＦ信号を前記携帯電話機に送信する第２の無線送受信機をさらに含む、請求項１７に記載のシステム。
【請求項１９】
前記第１の無線送受信機と前記ＦＭ処理モジュールとは、一集積回路として実装される、請求項１１に記載の携帯電話機。
【請求項２０】
前記ＦＭ処理モジュールは、
前記ＲＦ信号をＩＦ信号に変換する中間周波数（ＩＦ）混合器と、
前記ＩＦ信号をＢＢ信号に変換するＢＢ混合器と、を含む、請求項１１に記載の携帯電話機。
【請求項２１】
遠隔デバイスによりラジオ周波数（ＲＦ）からベースバンド（ＢＢ）にチューニングおよびダウンコンバートされた周波数変調（ＦＭ）信号に基づくＢＢ信号を受信する第１の無線送受信機と、
前記ＢＢ信号を受信し、前記ＢＢ信号に基づいて処理済ＦＭ信号を生成するＦＭ処理モジュールと、を備える、携帯電話機。
【請求項２２】
携帯電話機信号処理をする携帯電話機処理モジュールをさらに含み、
前記第１の無線送受信機および前記ＦＭ処理モジュールのうち少なくともいずれかは、集積回路内に前記携帯電話機処理モジュールとともに集積される、請求項２１に記載の携帯電話機。
【請求項２３】
前記第１の無線送受信機は、前記処理済ＦＭ信号を前記遠隔デバイスへ送信する、請求項２１に記載の携帯電話機。
【請求項２４】
ＦＭ放送局選択データを生成するユーザインタフェースをさらに含み、
前記第１の無線送受信機は、前記ＦＭ放送局選択データを前記遠隔デバイスへ送信する、請求項２１に記載の携帯電話機。
【請求項２５】
請求項２１に記載の携帯電話機を備えるシステムであって、前記遠隔デバイスをさらに含み、前記遠隔デバイスは前記処理済ＦＭ信号に基づき音声信号を生成する、システム。
【請求項２６】
請求項２１に記載の携帯電話機を備えるシステムであって、前記遠隔デバイスをさらに含み、
前記遠隔デバイスは、
アンテナと、
前記アンテナと通信し、ＲＦ周波数をチューニングするチューナと、をさらに備える、システム。
【請求項２７】
前記遠隔デバイスは、前記チューニングされたＲＦ周波数でＲＦ信号を増幅する増幅器をさらに含む、請求項２６に記載のシステム。
【請求項２８】
前記遠隔デバイスは、前記ＲＦ信号をＩＦ信号に混合する中間周波数（ＩＦ）混合器をさらに含む、請求項２７に記載のシステム。
【請求項２９】
前記遠隔デバイスは、前記ＩＦ信号をＢＢ信号に混合するＢＢ混合器をさらに含む、請求項２８に記載のシステム。
【請求項３０】
前記遠隔デバイスは、前記ＢＢ信号を前記携帯電話機に送信する第２の無線送受信機をさらに含む、請求項２９に記載のシステム。
【請求項３１】
前記第１の無線送受信機と前記ＦＭ処理モジュールとは、一集積回路として実装される、請求項２１に記載の携帯電話機。
【請求項３２】
アンテナと通信し、ＦＭ周波数をチューニングする周波数変調（ＦＭ）チューナと、
前記ＦＭ周波数で受信されたＦＭ信号に基づいて、遠隔の携帯電話機に無線信号を送信する無線送受信機と、を備える遠隔デバイス。
【請求項３３】
前記無線送受信機は、前記遠隔の携帯電話機からＦＭチューニングデータを受信し、前記ＦＭチューニングデータに基づいて前記ＦＭチューナを調節する、請求項３２に記載の遠隔デバイス。
【請求項３４】
前記ＦＭチューナと通信し、前記ＲＦ信号を受信する第１のアンテナと、
前記無線送受信機と通信し、前記無線信号を送信する第２のアンテナと、をさらに備える、請求項３２に記載の遠隔デバイス。
【請求項３５】
前記無線送受信機は、ブルートゥースインタフェースを含む、請求項３２に記載の遠隔デバイス。
【請求項３６】
前記遠隔デバイスは、
前記チューニングされたＲＦ周波数で信号を増幅する増幅器と、
前記信号を前記ＩＦ信号に混合する混合器と、をさらに含み、
前記無線送受信機は、前記ＩＦ信号を前記遠隔の携帯電話機に送信し、前記遠隔の携帯電話機から処理済ＦＭ信号を受信し、
前記遠隔デバイスは、
前記処理済ＦＭ信号に基づいて増幅音声信号を生成する増幅器もさらに含む、請求項３２に記載の遠隔デバイス。
【請求項３７】
前記遠隔デバイスは、
前記チューニングされたＲＦ周波数でＲＦ信号を増幅する第１の増幅器と、
前記ＲＦ信号をＩＦ信号に混合する中間周波数（ＩＦ）混合器と、
前記ＩＦ信号をＢＢ信号に混合するＢＢ混合器と、をさらに含み、
前記無線送受信機は、前記ＢＢ信号を前記遠隔の携帯電話機に送信し、前記遠隔の携帯電話機から処理済ＦＭ信号を受信し、
前記遠隔デバイスは、
前記処理済ＦＭ信号に基づいて増幅音声信号を生成する第２の増幅器もさらに含む、請求項３２に記載の遠隔デバイス。
【請求項３８】
前記遠隔デバイスは、
ＲＦ周波数をチューニングするチューナと、
前記チューニングされたＲＦ周波数で信号を増幅する第１の増幅器と、をさらに含み、
前記無線送受信機は、前記ＲＦ信号を前記遠隔の携帯電話機に送信し、前記遠隔の携帯電話機から処理済ＦＭ信号を受信し、
前記遠隔デバイスは、
前記処理済ＦＭ信号に基づいて増幅音声信号を生成する第２の増幅器もさらに備える、請求項３２に記載の遠隔デバイス。
【請求項３９】
請求項３６に記載の遠隔デバイスを備えるヘッドセットであって、前記増幅音声信号を出力する複数のスピーカをさらに備える、ヘッドセット。
【請求項４０】
前記遠隔デバイスを前記複数のスピーカに接続する導体をさらに含み、前記アンテナは前記導体に隣接して延びる、請求項３９に記載のヘッドセット。
【請求項４１】
請求項３７に記載の遠隔デバイスを備えるヘッドセットであって、前記増幅音声信号を出力する複数のスピーカをさらに備える、ヘッドセット。
【請求項４２】
前記遠隔デバイスを前記複数のスピーカに接続する導体をさらに含み、前記アンテナは前記導体に隣接して延びる、請求項４１に記載のヘッドセット。
【請求項４３】
請求項３８に記載の遠隔デバイスを備えるヘッドセットであって、前記増幅音声信号を出力する複数のスピーカをさらに備える、ヘッドセット。
【請求項４４】
前記遠隔デバイスを前記複数のスピーカに接続する導体をさらに含み、前記アンテナは前記導体に隣接して延びる、請求項４３に記載のヘッドセット。
【請求項４５】
請求項３６に記載の遠隔デバイスを備える衣料品であって、前記増幅音声信号を出力するスピーカをさらに備える、衣料品。
【請求項４６】
請求項３７に記載の遠隔デバイスを備える衣料品であって、前記増幅音声信号を出力するスピーカをさらに備える、衣料品。
【請求項４７】
請求項３８に記載の遠隔デバイスを備える衣料品であって、前記増幅音声信号を出力するスピーカをさらに備える、衣料品。
【請求項４８】
請求項３６に記載の遠隔デバイスを備えるシステムであって、前記増幅音声信号を出力する複数のスピーカをさらに備える、システム。
【請求項４９】
前記遠隔デバイスを前記複数のスピーカに接続する導体をさらに含み、前記アンテナは前記導体に隣接して延びる、請求項４８に記載のシステム。
【請求項５０】
請求項３７に記載の遠隔デバイスを備えるシステムであって、前記増幅音声信号を出力する複数のイヤホンをさらに備える、システム。
【請求項５１】
前記遠隔デバイスを前記複数のイヤホンに接続する導体をさらに含み、前記アンテナは前記導体に隣接して延びる、請求項５０に記載のシステム。
【請求項５２】
請求項３８に記載の遠隔デバイスを備えるシステムであって、前記増幅音声信号を出力する複数のイヤホンをさらに備える、システム。
【請求項５３】
前記遠隔デバイスを前記複数のイヤホンに接続する導体をさらに含み、前記アンテナは前記導体に隣接して延びる、請求項５２に記載のシステム。
【国際調査報告】
2009531975.tif 000014
2009531975.tif 000015